(57)【要約】【課題】必要なときのみ耐衝撃性を発揮でき、不使用時には嵩張りを生じず、関節部の保護を十分に行うことができる衣料用クッション部材と、その衣料用クッション部材を備えた衣料の提供を、課題とする。【解決手段】気密性の可撓性袋体内に弾性体を収納してなるクッション部材において、可撓性袋体の外面側に停止弁を備え、可撓性袋体は弾性体との間に空気を充填するための少許の空間を形成したことを特徴とする衣料用クッション部材を解決手段とする。【選択図】  図１
2007077518.tif 000002
【特許請求の範囲】
【請求項１】
気密性の可撓性袋体内に弾性体を収納してなるクッション部材において、可撓性袋体の外面側に停止弁を備え、可撓性袋体は弾性体との間に空気を充填するための少許の空間を形成したことを特徴とする衣料用クッション部材。
【請求項２】
弾性体は、折曲を補助するための切欠部を形成するとともに、切欠部の対向する断面相互を固着したことを特徴とする請求項１記載の衣料用クッション部材。
【請求項３】
弾性体は、折曲を補助するための切欠部を備え、可撓性袋体は停止弁を備え、該可撓性袋の内部には前記弾性体の切欠部に嵌り込む仕切部を備えたことを特徴とする請求項１記載の衣料用クッション部材。
【請求項４】
可撓性袋体は表面側生地と裏面側生地とを備え、表面側生地の厚みを裏面側生地の厚みより大きくしたことを特徴とする請求項１、２又は３記載の衣料用クッション部材。
【請求項５】
停止弁は、弁体と該弁体が嵌合する弁座体を備え、弁座体に対して弁体が離脱可能となることを特徴とする請求項１、２、３又は４記載の衣料用クッション部材。
【請求項６】
請求項１、２、３、４又は５記載の衣料用クッション部材を備えた衣料。
【請求項７】
気密性の可撓性袋体内に弾性体を収納してなるクッション部材の衣料に対する取付構造において、クッション部材は外面側に停止弁を備え、可撓性袋体は弾性体との間に空気を充填するための空間を形成し、衣料の外面側の一部に停止弁の外形輪郭程度の穴部を形成し、生地の内側に衣料用クッション部材を取着して該衣料用クッション部材の停止弁を前記穴部から生地外面側に露呈することを特徴とする衣料用クッション部材の衣料に対する取付構造。
【発明の詳細な説明】
【技術分野】
【０００１】
本発明は、スキーウェア等のスポーツウェア、作業着、その他ズボンや靴等（以下、単に「衣料」という。）に取着して使用する衣料用クッション部材と、該衣料用クッション部材を備えた衣料に関する。
【背景技術】
【０００２】
スキー、スノーボード等の過酷なスポーツや、危険作業等を行う際、身体の安全性を確保するために、衣服に耐衝撃性を有するクッション部材を設けることが一般的に行われている。
【０００３】
このような耐衝撃性を有するクッション部材としては、例えば、空気が出入りする間隙部を有し復元性を有する弾性体と、この弾性体を略気密的に覆うカバー部材とを有することを特徴とするクッション部材、及びこのクッション部材を備えた衣服（例えば、特許文献１参照。）が公知である。
【０００４】
【特許文献１】特開２００４−２４５７２号公報
【発明の開示】
【発明が解決しようとする課題】
【０００５】
上記特許文献１に係る発明は、外力の作用によって、弾性体が圧迫されると、カバー部材内に滞留した空気によって、クッション効果を高めるクッション部材を要旨とするものである。また、併せて、クッション部材を、人体の大腿骨頚部に対応する位置へ取付けてなる衣服が開示されている。
【０００６】
上記特許文献１に係る発明は、弾性体を略気密的に覆うカバー部材を備えたことによって、耐衝撃性を確保するものであるが、同構成によって、カバー部材が略気密状態で維持されていることから、常に、嵩張る欠点があった。このため、当該クッション部材を衣服に取着すると、不使用時にクローゼット等へ収納する際には、大きな収納スペースを必要とし、他の衣類の収納量も減少し、非常に不便であった。
【０００７】
この嵩張りを低減するには、カバー部材内の空気の量を予め少なく設定するか、弾性体自体の厚みを小さくすることが考えられる。しかし、カバー部材内の空気の量を予め少なく設定するとカバー部材内に滞留した空気によってクッション効果を高めることができなくなる。また、弾性体自体の厚みを小さくすることは本質的な耐衝撃性が大きく減少する。このため、前記いずれの手法とも、耐衝撃性能を著しく低下させることとなり、結局耐衝撃性を確保するためには、嵩張りの低減を実現できなかった。
【０００８】
また、上記特許文献１に係る発明は、クッション部材を人体の大腿骨頚部に対応する位置へ取付けてなる衣服を開示している。前記クッション部材は、耐衝撃性を発揮するために空気を充填した構成であるため、衝撃力等の負荷に対する強度があり、クッション部材自体を折り曲げることは容易ではない。このため、衣服へのクッション部材の取着については、人体の大腿骨頚部のみならず、膝部、肘部、腰部等の関節部等に対応する位置に設けると、関節部の動きに適合せず、外部からの衝撃力等の全てについて、十分に保護できない可能性がある。
【０００９】
一方、上記の不具合を解消できる技術を、衣服のみならず例えば靴等の衣料に対しても適用することが出来れば、更に、着用者の安全性、快適性を向上することができ、非常に好ましい。
【００１０】
本発明は以上の事情に鑑みてなされたものであり、必要なときのみ耐衝撃性を発揮でき、不使用時には嵩張りを生じず、関節部等の保護を十分に行うことができる衣料用クッション部材と、その衣料用クッション部材を備えた衣料の提供を、発明が解決しようとする課題とする。
【課題を解決するための手段】
【００１１】
本発明は、気密性の可撓性袋体内に弾性体を収納してなるクッション部材において、クッション部材の外面側に停止弁を備え、可撓性袋体は弾性体との間に空気を充填するための少許の空間を形成したことを特徴とする衣料用クッション部材を、課題を解決するための手段とするものである。
【００１２】
また、本発明は、気密性の可撓性袋体内に弾性体を収納してなるクッション部材の衣料に対する取付構造において、可撓性袋体の外面側に停止弁を備え、可撓性袋体は弾性体との間に空気を充填するための少許の空間を形成し、衣料の外面側の一部に停止弁の外形輪郭程度の穴部を形成し、生地の内側に衣料用クッション部材を取着して該衣料用クッション部材の停止弁を前記穴部から生地外面側に露呈することを特徴とする衣料用クッション部材の衣料に対する取付構造を、課題を解決するための手段とする。
【発明の効果】
【００１３】
本発明によれば、気密性の可撓性袋体内に弾性体を収納してなるクッション部材において、可撓性袋体の外面側に停止弁を備え、可撓性袋体は弾性体との間に空気を充填するための少許の空間を形成したことを特徴とする衣料用クッション部材としたことから、外部から簡単に停止弁を開閉でき、停止弁の開状態では空気量の増減操作が可能となり、可撓性袋体内の空気量を調節することができる。これによって、使用時には弾性体内への空気の流入と、前記空間への空気の流入によって、十分に衣料用クッション部材に空気を充填して、十分な耐衝撃性を確保することができる。不使用時における収納の際には、衣料用クッション部材から空気を抜き、弾性体を圧縮した状態で弁体を閉じ、衣料用クッション部材内を負圧状態で保持することによって、嵩張りをなくすことができる。
【００１４】
また、請求項２に係る発明によれば、上記構成に加えて、弾性体は折曲を補助するための切欠部を形成するとともに、切欠部の対向する断面相互を固着したことで、弾性体の表裏面を曲面状に形成し、当該弾性体の形状をベースとして可撓性袋体内の空気でこれを被覆することで、弾性体を着用者の関節等にフィットしやすい形状とでき、着用者の動きへの適合性を向上させることができる。
【００１５】
そして、弾性体は折曲を補助するための切欠部を形成するとともに、切欠部の対向する断面相互を固着したことで、安価に弾性体の表裏面を曲面状に形成することで、可撓性袋体との間に空気を封入するための空間を作ることができ、停止弁から多量の空気を可撓性袋体内に送り込むことで、衣料用クッション部材をより大きく膨らませることができる。また、不使用時における収納の際には、空気を抜くことで前記空気を封入するための空間をなくすことができ、非常にコンパクトな形状とすることができる。
【００１６】
更に、請求項３に係る発明によれば、気密性の可撓性袋体内に弾性体を収納してなる衣料用クッション部材において、弾性体は、折曲を補助するための切欠部を備え、可撓性袋の内部には前記切欠部に嵌り込む仕切部を備えたことによって、上記効果を有した上で、弾性体が折曲を補助するための切欠部を備えたことによって、衣料へのクッション部材の取着については、人体の大腿骨頚部のみならず、膝部、肘部、腰部等の関節部等に対応する位置に設けることができ、衝撃力等から確実に保護することができる。
【００１７】
そして、可撓性袋の内部には前記切欠部に嵌り込む仕切部を備えた構成としたことによって、可撓性袋全体が弾性体にしなやかにフィットして、関節の動きに応じて弾性体の屈曲が繰返し行われても、可撓性袋と弾性体が相対的にずれることもなく、安定した屈曲動作を得ることができる。
【００１８】
請求項４に係る発明によれば、可撓性袋体は表面側生地と裏面側生地とを備え、表面側生地の厚みを裏面側生地の厚みより大きくした構成を付加することによって、表裏の相対的な伸縮加減を特定するため、常に一定方向の湾曲を実現できる。即ち、裏面側生地が相対的に薄いため、表面側生地よりも伸縮し易く、湾曲率が大きい裏面側生地に適するものとなる。そして、当該一定方向の湾曲とは反対方向の湾曲を生じない。このため、衣服等の衣料に装着した際に、衣料の型崩れを招来しない効果が得られる。
【００１９】
請求項５に係る発明によれば、本発明の構成について、停止弁は、弁体と該弁体が嵌合する弁座体を備え、弁座体に対して弁体が離脱可能となる構成を付加したことによって、弁座体の通気穴を大きく開口することができ、通気穴から息を吹き込むことが可能となり、衣料用クッション部材の大きさを、着用者の好みの大きさとなるように自由に調節することができる。
【００２０】
また、同構成によって、十分な大きさの通気穴を開口することで、不使用時若しくは空気の充填量の調節で一部の空気を排出するときには、空気を抜くのに要する時間を短縮することができる。
【００２１】
そして、上記衣料用クッション部材を衣料に適用することによって、必要なときのみ耐衝撃性を発揮でき、不使用時には嵩張りを生じず、関節部の保護を十分に行うことのできる衣料用クッション部材を備えた衣料を提供することができる。
【００２２】
更に、請求項６に係る発明のように、衣料用クッション部材の外形を靴中敷状として、一般的な靴中敷と同様に、靴の内底部に装着することによって、地面から着用者の足に伝わる衝撃力を大幅に緩和できる。そして、停止弁を具備することによって、空気の充填量を調節することができることから、着用者の好みに応じた衣料用クッション部材の大きさ、形状、耐衝撃性を得ることができる。
【００２３】
また、請求項７に係る発明のように、以上に示した衣料用クッション部材を備えた衣料を提供することによって、必要なときのみ耐衝撃性を発揮でき、不使用時には嵩張りを生じず、関節部等の保護を十分に行うことができる衣料を提供することができる。
【００２４】
更に、請求項８に係る発明のように、衣料は生地の外面側の一部に停止弁の外形輪郭程度の穴部を形成し、生地の内側に衣料用クッション部材を取着して該衣料用クッション部材の停止弁を前記穴部から生地外面側に露呈する衣料用クッション部材の衣料に対する取付構造とすることによって、非常に容易に空気の充填量を調節することができ、着用者の好みに応じた衣料用クッション部材の大きさ、形状、耐衝撃性を得ることができる。
【００２５】
また、以上に示したように、本発明は、外部からの耐衝撃性を得ることを目的とするが、空気を充填することによって、外部と内部との間に空気の層を形成することとなるから、内部の保温性を向上させることができる。このため、本発明に係る衣料用クッション部材は、単なる耐衝撃性を有するクッション部材としての用途のみならず、防寒を目的とするクッション部材とすることができる。
【発明を実施するための最良の形態】
【００２６】
本発明は、気密性の可撓性袋体内に弾性体を収納してなるクッション部材において、弾性体は、折曲を補助するための切欠部を備え、可撓性袋体は停止弁を備え、該可撓性袋の内部には前記弾性体の切欠部に嵌り込む仕切部を備え、可撓性袋体は表面側生地と裏面側生地とを備え、表面側生地の厚みを裏面側生地の厚みより大きくし、停止弁は、弁体と該弁体が嵌合する弁座体を備え、弁座体に対して弁体が離脱可能となる衣料用クッション部材とし、衣服に取着することで、必要なときのみ耐衝撃性を発揮でき、不使用時には嵩張りを生じず、関節部の保護を十分に行うことができる、優れた衣料用クッション部材を実現した。
【実施例】
【００２７】
図１は本発明の実施例１に係る衣料用クッション部材の（イ）正面図、（ロ）右側面図、及び（ハ）Ａ−Ａ拡大断面図、図２は本発明の実施例１に係る衣料用クッション部材をスキーウェアのズボンに取付けた状態を示す説明図、図３は本発明の実施例１に係る衣料用クッション部材の停止弁（離脱状態）を示す斜視図、図４は実施例１に係る衣料用クッション部材の停止弁を示す組立図、図５は本発明の実施例２に係る衣料用クッション部材を示す（イ）底面図、（ロ）正面図、及び（ハ）Ｂ−Ｂ断面図、（ニ）湾曲状態を示す底面図、図６は本発明の実施例２に係る衣料用クッション部材をスキーウェアの上衣に取付けた状態を示す（イ）説明図及び（ロ）そのＣ−Ｃ一部断面図、図７は本発明の実施例３に係る衣料用クッション部材を示す（イ）正面図、（ロ）空気を抜いた状態におけるＤ−Ｄ断面図、（ハ）空気を充填した状態におけるＤ−Ｄ断面図、図８は本発明の実施例４に係る衣料用クッション部材を示す（イ）正面図、（ロ）空気を抜いた状態におけるＥ−Ｅ断面図、（ハ）空気を充填した状態におけるＥ−Ｅ断面図、図９は本発明の実施例５に係る衣料用クッション部材を示す（イ）正面図、（ロ）Ｆ−Ｆ断面図である。
【００２８】
（実施例１）
本発明の実施例１に係る衣料用クッション部材Ｐを図１乃至図３に示す。実施例１に係る衣料用クッション部材Ｐは、衣料であるスキー用ズボン等の大腿部から脚部に至る側面位置に使用するものである。長尺状のウレタンフォームからなる弾性体２を、気密性の可撓性袋体１で被覆してなる。
【００２９】
連続気泡性のウレタンフォームからなる前記弾性体２は、厚さ７ミリメートル程度、幅７０ミリメートル乃至１００ミリメートル程度、長さ５５０ミリメートル程度であり、図１（イ）正面図に示すように、長手に渡って緩い円弧状となる平板形状を有する。本実施例では前記弾性体２の幅寸法は両端部が最大で、中央部が最小としている。弾性体２は、内部に空気を保持することができ、圧縮状態では内部の空気を外部に放出し、その嵩を著しく小さくすることができる。
【００３０】
また、図１（ハ）に示すように、前記可撓性袋体１は、厚さ０．３ミリメートルの表面側生地１０と厚さ０．２ミリメートルの裏面側生地１１とを溶着してなる。表面側生地１０の端部寄りとなる一箇所には停止弁３を設けている。また、表面側生地１０の厚さを裏面側生地１１の厚さよりも大きくする構成によって、裏面側生地１１が内側に湾曲しやすくし、表面側生地１０が外側に湾曲しやすくし、全体として外側が広がり内側が狭まるように湾曲することとなり、常に一定の湾曲方向を有するものとすることができる。
【００３１】
図３及び図４に示すように、停止弁３は、通気穴３００を有する弁座体３０と、該弁座体３０の通気穴３００を開閉する弁体３１と、弁体３１を操作するための操作レバー３２とを備えている。弁体３１は弁座体３０に対して離脱可能に形成されている。本実施例に係る停止弁３は、図１（イ）正面視において、長円形状の外形輪郭を有する。
【００３２】
ここで弁座体３０は中央に直径４ミリメートル程度の通気穴３００を有する長径４センチメートル、短径３センチメートル程度の長円状の円盤上に一体として長径３センチメートル、短径１．５センチメートル程度の略円筒形状の操作レバー保持部３０１を形成した外形を有する。
【００３３】
操作レバー保持部３０１の周縁は前記表面側生地１０に対する取付代３０２として機能する。また操作レバー保持部３０１は前記操作レバー３２を挟持固定する挟持部３０３を備え、挟持部３０３の対向する内面には夫々上下方向に連続する溝状の軸受溝部３０４を有する。
【００３４】
また弁体３１は、角柱状の作動軸３１０の一端に球状の弁３１１を備え、作動軸３１０の他端には該作動軸３１０に直交する回動軸３１２を備えた構成である。作動軸３１０の幅は弁座体３０の通気穴３００より小さく、球状の弁３１１は通気穴３００よりも大きく形成している。
【００３５】
操作レバー３２は、弁体３１の回動軸３１２を握持連結する連結部３２０と、親指で当該操作レバー３２の引上げ、押下げを行うための操作部３２１を備えている。前記操作レバー３２の操作部３２１は、親指の腹に適合した曲面を連結部３２０から後方斜め上へ立ち上げた構成である。
また、操作レバー３２の側面で、弁体３１の回動軸３１２の延長軸線上となる位置に軸部３２２を形成している。軸部３２２は前記弁座体３０の軸受溝部３０４に回動自在として保持される。
【００３６】
停止弁３が閉栓状態のときは、操作レバー３２が操作レバー保持部３０１に保持され、球状の弁３１１は引き上げられた状態で通気穴３００を閉塞する。また、閉栓状態から操作レバー３２を、回動軸３１２を基準として起立させ、通気穴３００に向けて指で操作レバーを押し込むことによって、球状の弁３１１は下方へ移動して通気穴３００を開口する。空気量の調節を行う際には、この開放方法が好適である。しかし、この方法では通気状態を確保することができるが通気量が少ないため、一度に通気を行うときには、操作レバー３２を上方へ強く引き上げることで、通気穴３００の周縁の樹脂弾性によって球状の弁３１１が通気穴３００を抜け、操作レバー３２と該操作レバー３２に連結された弁３１１を弁座体３０から離脱させる。この離脱によって、通気穴３００は完全に開口し、十分な通気量を実現することができる。
【００３７】
また、本実施例１では、空気を十分に充填した状態で弾性体の長手両端部が可撓性袋体の内側に当接保持されていることから、この状態でも、弾性体が可撓性袋体内で揺れ動くことが無く、安定した耐衝撃性能を発揮することができる。
【００３８】
尚、本発明における衣料用クッション部材Ｐに用いる停止弁３は、弁座体３０と弁体３１とが離脱可能であればよく、停止弁３における他の部分の構成は種々の公知の停止弁の構成を用いることができる。
【００３９】
本実施例１に係る衣料用クッション部材Ｐは、以上の構成によって、収納時には、操作レバー３２及び弁３１１を弁座体３０から離脱した状態で、弾性体２を収納した可撓性袋体１を押圧変形し、可撓性袋体１内の空気と弾性体２内の空気を通気穴３００から排出し、この状態で再度球状の弁３１１を通気穴３００に取付け、閉栓する。
【００４０】
以上の構成からなる実施例１に係る衣料用クッション部材Ｐの装着例として、スキーウェアのズボンＺへの取付構造を以下に示す。
【００４１】
図２に示すように、ズボンＺは、大腿部から脚部に亘る側方外側部位に、クッション部材収納用ポケット４を形成した構成である。クッション部材収納用ポケット４の外面側の一部には、衣料用クッション部材Ｐの停止弁３の外形輪郭程度の穴部４０を形成している。クッション部材収納用ポケット４の大きさ及び形状は衣料用クッション部材Ｐの大きさ及び形状に適合するように形成してある。クッション部材収納用ポケットＰ内に衣料用クッション部材Ｐを収納すると、前記穴部４０から停止弁３が外部に露呈する。また衣料用クッション部材Ｐの表面側が衣料の表地の裏面側に当接する。
【００４２】
上記構成によって、外部からの停止弁３の操作が可能となる。
衣料用クッション部材Ｐから空気を抜くときには、停止弁３の操作レバー３２の先端側を押し上げ、ズボンＺの側面（より具体的には衣料用クッション部材Ｐ）を強く押圧する。この操作だけでは、理屈上空気は抜けないのであるが、押圧によって衣料用クッション部材Ｐ内の圧力が高まり、内部の弾性体が弁に接触すること等によって、内部の空気を抜くことができる。
【００４３】
尚、内部の空気をより確実に抜くためには、先端を押し上げた状態の操作レバー３２をそのまま通気穴３００に対して押し込むことで、弁３１１を下方へ移動させて、弁３１１と通気穴３００との間に通気路を確保することができる。
【００４４】
そして空気を抜いた状態を維持しつつ、停止弁３の操作レバー３２の先端側を押下げて、弁３１１を上方へ移動させ、停止弁３が閉じた状態に戻すことで、内部の空気を抜いて圧縮した状態とすることができる。
【００４５】
一方、衣料用クッション部材Ｐに対して空気を充填させることについては、圧縮した衣料用クッション部材Ｐの復元を行い内圧を外圧と同程度とすること、及び、衣料用クッション部材Ｐ内に過度に空気を充填することの二通りがある。
【００４６】
圧縮した衣料用クッション部材Ｐの復元を行い内圧を外圧と同程度とするには、前記した圧縮した状態から、操作レバー３２の先端側を押し上げ、次いで、操作レバー３２をそのまま通気穴３００に対して押し込む。この操作によって、弁３１１を下方へ移動させて、弁３１１と通気穴３００との間に通気路を確保することで、外部から衣料用クッション部材３４の内部に対して空気を送り込み、衣料用クッション部材３４内を常圧とし、復元することができる。
【００４７】
また、衣料用クッション部材Ｐ内に過度に空気を充填するには、停止弁３の操作レバー３２を外し、通気穴３００から空気を衣料用クッション部材Ｐ内へ充填することができる。空気を充填するには、直接息を吹き込むこともできるし、手動若しくは自動のポンプ等の機械的手段を用いることもできる。尚、操作レバー３２の取り外しは、圧縮した衣料用クッション部材Ｐの復元を行い内圧を外圧と同程度とする際に行うこともできる。
【００４８】
これらの手段は空気の充填量を調節する際にも使用することができる。空気の充填量を調節することによって、衣料用クッション部材Ｐを着用者の体型や部位に応じた最適な形状とすることができるし、充填量を大きくすることによって、防寒効果を高めることもできる。
【００４９】
（実施例２）
本発明の実施例２に係る衣料用クッション部材Ｐは、図５に示すように、ウレタンフォームからなる弾性体２を、気密性の可撓性袋体１で被覆してなること、及び、端部に停止弁３を備える点で実施例１に係る衣料用クッション部材Ｐと共通する。また停止弁３の構成についても、実施例１と同様である。
【００５０】
本発明の実施例２に係る衣料用クッション部材Ｐは、弾性体２に加工を行ったものである。ウレタンフォームからなる前記弾性体２は、平面視長辺側となる両側の縁から内部へ向かう複数の切欠部２０を形成している。該切欠部２０は、親指程度の大きさであり、両側の縁の夫々に二箇所ずつ形成している。
【００５１】
前記可撓性袋体１は、厚さ０．３ミリメートルの表面側生地１０と厚さ０．２ミリメートルの裏面側生地１１とを溶着してなる。表面側生地１０の端部寄りとなる一箇所には停止弁３を設けている。本実施例２では、表面側生地１０と裏面側生地１１との溶着は、高周波ウェルダー加工を用いている。
【００５２】
表面側生地１０と裏面側生地１１の相互に対向する各縁部を溶着することによって縁部溶着部を形成する。また、表面側生地１０と裏面側生地１１の相互に対向する部分のうち、弾性体２の切欠部２０内に嵌り込む位置を、高周波ウェルダー加工で溶着することによって、仕切部２１を形成している。
【００５３】
上記構成によって、衣料用クッション部材Ｐ自体の柔軟性を非常に高めることができ、保護対象物の形状や動きに応じた保護機能を得ることができる。また、仕切部２１が切欠部２０内に嵌り込んで形成されているため、保護対象物の激しい動き等によって可撓性袋体１と弾性体２が相対的に大きくずれることがなく、極めて確実に保護することができる。
【００５４】
実施例２に係る衣料用クッション部材Ｐの取付構造について説明する。一例として、図６に示すように、上記実施例２に係る衣料用クッション部材をスキーウェアの上衣Ｗに対して取付けた構造を示す。当該スキーウェアの上衣Ｗは、その背部及び肘部の内面側に前記衣料用クッション部材Ｐを縫着した構成である。スキーウェアの上衣Ｗの背部及び肘部の一部には穴部５０を形成しており、背部及び肘部の内面側に縫着された衣料用クッション部材Ｐの停止弁３が前記穴部５０から外部に露呈する。
【００５５】
上記したように、本発明の実施例２に係る衣料用クッション部材Ｐは、弾性体２の平面視長辺側となる両側の縁から内部へ向かう複数の切欠部２０と切欠部に嵌り込む仕切部２１を形成していることで、身体に対する追従性が大きく向上しており、体の伸縮が大きい関節部分について外部からの衝撃に対する保護を確実に行うことができる。
【００５６】
肘部に装着した衣料用クッション部材Ｐは、該肘部の動きに伴って、表面側生地１０は伸張状態となり、裏面側生地１１は収縮状態となることによって、衣料用クッション部材Ｐ全体の伸縮性が発揮されることとなる。また、背部に装着した衣料用クッション部材Ｐは、背部の動き、即ち、図５（ニ）に示すように、左右への捻り方向及び前後方向への動き、及びこれらの複合的な動きに伴って、表面側生地１０及び裏面側生地１１の双方が伸張状態となる。表面側生地１０は裏面側生地１１よりも伸張率が高くなり、衣料用クッション部材Ｐ全体が着用者の体の動きにフィットすることができる。
【００５７】
上記取付構造によって、衣料用クッション部材Ｐの停止弁３が穴部４０から外部に露呈することから、外部から簡単に衣料用クッション部材Ｐのサイズの調節（空気の充填率の増減）を行うことができる。
【００５８】
（実施例３）
本発明の実施例３に係る衣料用クッション部材Ｐは、ウレタンフォームからなる弾性体２を、気密性の可撓性袋体１で被覆してなること、及び、端部に停止弁３を備える点で実施例１及び実施例２に係る衣料用クッション部材Ｐと共通する。また停止弁３の構成についても、実施例１及び実施例２と同様である。
【００５９】
本実施例３に係る衣料用クッション部材Ｐは、図７に示すように、弾性体２の構成について実施例１及び実施例２と相違する。本実施例３に係る弾性体２は、折曲を補助するための切欠部２０を形成するとともに、切欠部２０の対向する断面相互を固着したことで、弾性体２０の表裏面を曲面状に形成し、当該弾性体２０の形状をベースとして可撓性袋体１内の空気の層でこれを被覆することで、弾性体２を着用者の関節等にフィットしやすい形状とでき、着用者の動きへの適合性を向上させることができる。
【００６０】
そして、弾性体２は折曲を補助するための切欠部２０を形成するとともに、切欠部２０の対向する断面相互を固着し、切欠部２０を塞いだ形状としたことで、安価に弾性体２の表裏面を曲面状に形成して、弾性体に凹部２３を形成している。この凹部２３は、弾性体２と可撓性袋体１との間に空気を封入するための空間２４を形成するものとして機能する。
【００６１】
停止弁３から多量の空気を可撓性袋体内に送り込むことで、衣料用クッション部材Ｐをより大きく膨らませることができる。また、不使用時における収納の際には、空気を抜くことで前記空気を封入するための空間２４をなくすことができ、非常にコンパクトな形状とすることができる。
【００６２】
（実施例４）
また、上記実施例３における弾性体２が相違する構成を有するものとして、実施例４として図８のように、弾性体２が、一体成形で一部に凹部２３を有する形状とした衣料用クッション部材Ｐを示す。
本実施例４においても実施例３と同様に、凹部２３を形成することによって、弾性体２と可撓性袋体１との間に空気を封入するための空間２４を確保することができる。
【００６３】
（実施例５）
実施例５に係る発明は、図９に示すように、平面視外形形状を靴の内底面外形と略同形状とした板状の衣料用クッション部材Ｐである。本実施例４に係る衣料用クッション部材Ｐの構成は、実施例１乃至実施例３と同様に、ウレタンフォームからなる弾性体２を気密性の高い可撓性袋体１で被覆した構成である。弾性体２の形状は、衣料用クッション部材Ｐと同様の靴の内底面外形と略同形状となる板状としている。
【００６４】
前記可撓性袋体１は、表面側生地１０と裏面側生地１１は厚さが同等のものを使用している。可撓性袋体１の側部には停止弁３を設けている。停止弁３は、実施例１乃至実施例３と基本構成は同様であるが、靴内で使用するため、より小型のものを使用している。
【００６５】
本実施例４に係る弾性体２は、上記したように、衣料用クッション部材１と同様の靴の内底面外形と略同形状となる板状としているが、本発明はこれに限らず、足裏面の特定部位を押圧したり、或いは足への負担軽減や機能性向上のための種々の起伏を形成することができる。また可撓性袋体１の形状も弾性体２の形状に応じて形成することができる。
【００６６】
尚、本実施例４における停止弁３についても、実施例１の停止弁３と同様に、弁座体３０と弁体３１とが離脱可能であればよく、停止弁３における他の部分の構成は種々の公知の停止弁の構成を用いることができる。停止弁３の位置を可撓性袋１の側部に設けることによって、靴を履いた際に停止弁３が足裏に接触しない状態を確保することができる。
【００６７】
本発明において、停止弁３の位置は特に限定しない。しかしながら、例えば上記実施例３のように靴中敷形状の衣料用クッション部材Ｐでは、足裏に接触しない位置であることが好ましく、上記可撓性袋体１の側部以外の箇所としては、例えば土踏まず部分等とすることができる。
また、足裏に接触する位置であっても、例えば足の親指の付け根と人差し指の付け根との間等、着用者にとって違和感や機能的な問題の生じない位置であれば、好適に配置することができる。
【００６８】
また、本発明においては、衣料と衣料用クッション部材Ｐとの取付構造に関しては、上記したものに限定しない。即ち、種々の衣料の各部位（例えば肘部、膝部、腰部、襟部等）に対して、収納用ポケットを使用した取付構造を行うことができるし、或いは、衣料用クッション部材を直接衣料の生地に対して接着、溶着、縫着、係着することもできる。尚、係着とは雌雄面ファスナー、雌雄スナップボタン等による係着をいう。
また、例えば、衣服内部等に衣料用クッション部材Ｐを封入した構成とすることもできる。これらいずれの場合であっても、停止弁３を外部から操作可能な位置に配置することで、非常に容易に空気の充填量を調節することができ、着用者の好みに応じた衣料用クッション部材の大きさ、形状、耐衝撃性を得ることができる。
【００６９】
また、本発明における取付構造において、衣料の外面側とは、実施例に示した表地側（外部側）のみならず、裏地側（胴裏側）を含む。従って、露呈する停止弁は、衣料の表地側だけでなく裏地側であってもよい。しかしながら、表地側に停止弁が露呈する取付構造であれば、着用者の体に干渉することが無く、より快適な着心地を得ることができる。一方、裏地側に停止弁が露呈する構成であれば、表地側には停止弁が見えないので、外観体裁を良好とすることができる。
【図面の簡単な説明】
【００７０】
【図１】本発明の実施例１に係る衣料用クッション部材の（イ）正面図、（ロ）右側面図、及び（ハ）Ａ−Ａ拡大断面図である。
【図２】本発明の実施例１に係る衣料用クッション部材をスキーウェアのズボンに取付けた状態を示す説明図である。
【図３】本発明の実施例１に係る衣料用クッション部材の停止弁（離脱状態）を示す斜視図である。
【図４】本発明の実施例１に係る衣料用クッション部材の停止弁を示す組立図である。
【図５】本発明の実施例２に係る衣料用クッション部材を示す（イ）底面図、（ロ）正面図、及び（ハ）Ｂ−Ｂ断面図、（ニ）湾曲状態を示す底面図である。
【図６】本発明の実施例２に係る衣料用クッション部材をスキーウェアの上衣に取付けた状態を示す（イ）説明図及び（ロ）そのＣ−Ｃ一部断面図である。
【図７】本発明の実施例３に係る衣料用クッション部材を示す（イ）正面図、（ロ）空気を抜いた状態におけるＤ−Ｄ断面図、（ハ）空気を充填した状態におけるＤ−Ｄ断面図である。
【図８】本発明の実施例４に係る衣料用クッション部材を示す（イ）正面図、（ロ）右側面図、（ハ）Ｅ−Ｅ断面図である。
【図９】本発明の実施例５に係る衣料用クッション部材を示す（イ）正面図、（ロ）Ｆ−Ｆ断面図である。
【符号の説明】
【００７１】
１        可撓性袋体
１０      表面側生地
１１      裏面側生地
２        弾性体
２０      切欠部
２１      仕切部
２３      凹部
２４      空間
３        停止弁
３０      弁座体
３００    通気穴
３０１    操作レバー保持部
３０２    取付代
３０３    挟持部
３０４    軸受溝部
３１      弁体
３１０    作動軸
３１１    弁
３１２    回動軸
３２      操作レバー
３２０    連結部
３２１    操作部
３２２    軸部
４        クッション部材収納用ポケット
４０      穴部
５０      穴部
Ｐ        衣料用クッション部材
Ｗ        上衣
Ｚ        ズボン
【図１】
2007077518.tif 000003
【図２】
2007077518.tif 000004
【図３】
2007077518.tif 000005
【図４】
2007077518.tif 000006
【図５】
2007077518.tif 000007
【図６】
2007077518.tif 000008
【図７】
2007077518.tif 000009
【図８】
2007077518.tif 000010
【図９】
2007077518.tif 000011